(57)【特許請求の範囲】
【請求項１】
銃本体に、圧縮気体を先端ノズル部から噴射するノズルアセンブリーと弾丸を装填する装弾部を有するバレルとを具備し、ノズルアセンブリーの後退によって先端ノズル部と上記装弾部との間に弾丸を供給する構成を備えた給弾機構において、
ノズルアセンブリーの前進後退方向へ移動可能に銃本体に取り付けたコッキング部材と、
上記コッキング部材の移動をノズルアセンブリーに伝達し、当該ノズルアセンブリーを後退させるために上記コッキング部材とノズルアセンブリーとの間に設けた作用部材と、
上記ノズルアセンブリーを前進方向へ付勢する弾性部材の付勢力に抗して、当該ノズルアセンブリーを後退させるためにコッキング部材に関連して設けた係合手段と、
上記係合手段における係合を有効にするか無効にするかを選択することによって、コッキング部材の移動をノズルアセンブリーに伝達するか伝達しないかを選択するために、作用部材を切替える装弾数切替え部材を具備して構成された
給弾機構における装弾数切替え装置。
【請求項２】
コッキング部材は、移動方向に沿って間隔を設けて配置した２箇所の係合部を有し、上記２箇所の係合部の回数だけノズルアセンブリーを後退可能に構成され、
作用部材は、上記２箇所の係合部とともに係合手段を構成する係合相手として、１箇所目の係合部と係合する部分１を有し、また、１箇所目の係合部との係合を解除するために、ノズルアセンブリーの後方に配置された解除部と接触する部分２を有し、また、１箇所目の係合部との係合を強制的に解除する装弾数切替え部材の操作によって接触し、１箇所目の係合部との係合を解除する解除部分３を有して構成され、さらに、２箇所目の係合部と係合する第２の部分１をノズルアセンブリーに設けて構成された
請求項１記載の給弾機構における装弾数切替え装置。
【請求項３】
コッキング部材は、移動方向の中間に設けた１箇所の係合部を有し、上記１箇所の係合部の往復移動によってノズルアセンブリーを後退させるものとして構成され、
作用部材は、ノズルアセンブリー及びコッキング部材に対して前後方向へ移動可能に、かつ、それ自体が回転可能に銃本体に取り付けられており、さらに、上記１箇所の係合部と係合して回転を生じさせる部分１を有し、また、上記回転によってノズルアセンブリー側のラックと噛み合い、移動を生じさせる歯から成る部分２を有し、また、コッキング部材の後退に伴って、コッキング部材と作用部材に設けた係合手段によりノズルアセンブリーが後退し、さらに、付勢手段により前進した状態から、上記ノズルアセンブリーを後退位置へ戻して、コッキング部材の前進に伴うノズルアセンブリーの後退を行わせるか否かを選択する部分３を有して構成された
請求項１記載の給弾機構における装弾数切替え装置。
【発明の詳細な説明】
【技術分野】
【０００１】
本発明は、銃本体に、圧縮気体を先端ノズル部から噴射するノズルアセンブリーと弾丸を装填する装弾部を有するバレルを具備し、ノズルアセンブリーの後退によって先端ノズル部と上記装弾部との間に弾丸を供給する給弾機構において、装弾数の切替えを行えるようにした装置に関するものである。
【背景技術】
【０００２】
玩具銃或いは模擬銃などと通称される銃では、ＢＢ弾と呼ぶ球形のプラスチック製弾丸を使用する。多くの銃はバレルの装弾部分に１発の弾丸を装填し、従って、１回のコッキング操作で１発の弾丸を発射する操作が繰り返される。これに対して複数個の弾丸を発射する構造を持った銃もあり、本発明の出願人においても、例えば、特開平１１−９４４９５号（特許第３０４５９８４号）を出願している。同号の発明は、複数個の銃身を有する銃に弾丸を装填する装弾装置を開示しており、弾丸は各銃身に通じる装弾室前室から各銃身に１発ずつ自動的に装填される。上記構成の銃では、銃身の個数と同じ数の弾丸を装填し発射することができるが、装填する弾丸の個数を、銃身の個数よりも増加することはできない。
【０００３】
複数の弾丸を発射するものには、例えば、複数弾丸発射装置という特開２００４−３２４９６２号の発明がある。その発明は円筒形の弾頭が、６つの装弾室と中央の大きなガス充填筒部とに分離されていて、周囲の各装弾室にそれぞれ４個のプラスチック弾丸が装填されるので、あたかも散弾銃のように、２４発の弾丸を同時に発射することが可能とされている。しかし、弾丸を装填する際は、銃身の先端から弾丸をシ−ル材の凸部に抗して装弾室の底部まで挿入しなければならないと記載されているので、１発ずつ銃身の先端から挿入する必要があるので、大変面倒である。また、同様の構成を有する従来技術では、装弾する場合には弾頭を取り外し、再度複数の弾丸を装弾して（ガスを充填して）から銃身に装着すると記載されている。
【０００４】
このように、上記発明に記載されている装置は、弾丸を装填する操作それ自体が大変面倒なままである。しかも、上記複数弾丸発射装置の発明は１発ずつ挿入する方式を取っており、操作によって弾丸装填数を変更することができるものではなく、また、弾丸装填数の変更に関する技術事項が示唆されているわけでもない。このような状況において、本件の発明者は複数個の弾丸を装填する技術及び複数個の弾丸を装填する弾数を切替えることを可能にする技術の確立を意図し、鋭意研究の結果、本発明を完成したものである。
【０００５】
【特許文献１】特開平１１−９４４９５号
【特許文献２】特開２００４−３２４９６２号
【発明の開示】
【発明が解決しようとする課題】
【０００６】
本発明は前記の経緯からなされたもので、その課題は、給弾機構において、バレルに装填する弾丸の数を切替えることが可能な装弾数切替え装置を提供することである。また、本発明の他の課題は、装填する弾丸の装弾数切替え操作を、銃本体に設けた１方向操作方式又は往復操作方式の何れの方式のコッキング部材によっても行えるようにした給弾機構における装弾数切替え装置を提供することである。
【課題を解決するための手段】
【０００７】
前記の課題を解決するため、本発明は銃本体に、圧縮気体を先端ノズル部から噴射するノズルアセンブリーと弾丸を装填する装弾部を有するバレルを具備し、ノズルアセンブリーの後退によって先端ノズル部と上記装弾部との間に弾丸を供給する給弾機構において、ノズルアセンブリーの前進後退方向へ移動可能に銃本体に取り付けたコッキング部材と、上記コッキング部材の移動をノズルアセンブリーに伝達し、当該ノズルアセンブリーを後退させるために上記コッキング部材とノズルアセンブリーとの間に設けた作用部材と、上記ノズルアセンブリーを前進方向へ付勢する弾性部材の付勢力に抗して、当該ノズルアセンブリーを後退させるためにコッキング部材と作用部材に設けた係合手段と、上記係合手段における係合を有効にするか無効にするかを選択することによって、コッキング部材の移動をノズルアセンブリーに伝達するか伝達しないかを選択するために、作用部材を切替える装弾数切替え部材を具備して構成するという手段を講じたものである。
【０００８】
ノズルアセンブリーの後退によって先端ノズル部と上記装弾部との間に弾丸を供給するために空所を設ける給弾機構は本発明の装置の前提になっているが、この方式自体は公知であり、例えば、前述の特許文献１のものも同様である。本発明の装置はそのような給弾機構における先端ノズル部の後退動作を繰り返すことによって、装弾数を切替えるものであるといえる。
【０００９】
そのため、本発明の装置は、装弾数切替え操作を行う操作部材として前進後退方向へ移動可能に銃本体に取り付けたコッキング部材と、このコッキング部材の移動をノズルアセンブリーに伝達して後退させるために上記コッキング部材とノズルアセンブリーとの間に設けた作用部材と、上記ノズルアセンブリーを前進方向へ付勢する弾性部材の付勢力に抗して後退させるためにコッキング部材と作用部材に設けた係合手段と、この係合手段における係合を有効にするか無効にするかを選択することによって、コッキング部材の移動をノズルアセンブリーに伝達するか伝達しないかを選択するために、作用部材を切替える装弾数切替え部材を具備している。
【００１０】
故に、本発明はコッキング部材を前進後退方向へ移動操作させる際に作用部材を切替えることで、ノズルアセンブリーを後退させる回数、即ち、装填する弾丸の個数を制御することができる。そのコッキング部材の操作は、作用部材を介してノズルアセンブリーに伝達される。よって、作用部材の伝達作用が行なわれる回数を制御することで、上記ノズルアセンブリーを後退させる回数が変えられる。コッキング部材と作用部材は係合手段によって係合可能になっており、故にこの係合の有効無効を選択することが、コッキング部材の移動をノズルアセンブリーに伝達するか伝達しないかの選択、即ち、装填回数の制御であり、装弾数を切替えることになる。
【００１１】
本発明の装置では、上記コッキング部材の１方向操作又は往復方向操作のいずれの方式も選択することができる。１方向操作とは、例えば、１回のコッキング部材の後退操作によってノズルアセンブリーを複数回後退させる操作である。この場合、コッキング部材の前進時は装弾数切替えに関与せず、原位置に戻すだけである。１方向操作を取る装置において、コッキング部材は移動方向に沿って間隔を設けて配置した、例えば、２箇所の係合部を有し、上記２箇所の係合部の回数だけノズルアセンブリーを後退可能に構成され、作用部材は、上記２箇所の係合部とともに係合手段を構成する係合相手として、１箇所目の係合部と係合する部分１を有し、また、１箇所目の係合部との係合を解除するために、ノズルアセンブリーの後方に配置された解除部と接触する部分２を有し、また、１箇所目の係合部との係合を強制的に解除する装弾数切替え部材の操作によって接触し、１箇所目の係合部との係合を解除する部分３を有して構成され、さらに、２箇所目の係合部と係合する第２の部分１をノズルアセンブリーに設けて構成される。
【００１２】
他方、往復方向操作はコッキング部材を後退、前進させる操作であり、後退、前進の操作により装弾数切替えを行なう。往復方向操作を取る装置において、コッキング部材は、移動方向の中間に設けた１箇所の係合部を有し、上記１箇所の係合部の往復移動によってノズルアセンブリーを後退させるものとして構成され、作用部材はノズル本体及びコッキング部材に対して前後方向へ移動可能に、かつ、それ自体が回転可能に銃本体に取り付けられており、さらに、上記１箇所の係合部と係合して回転を生じさせる部分１を有し、また、上記回転によってノズルアセンブリー側のラックと噛み合、移動を生じさせる歯から成る部分２を有し、また、コッキング部材の後退に伴って、コッキング部材と作用部材に設けた係合手段によりノズルアセンブリーが後退し、さらに、付勢手段により前進した状態から、コッキング部材の前進に伴うノズルアセンブリーの後退を行わせるか否かを選択する部分３を有して構成される。
【００１３】
上記の部分１、部分２、部分３は１方向操作方式の装置と、往復方向操作方式の装置のどちらにも必要な構成要素である。しかしこれらの構成要素は構成及び作用等の具体的内容において、全て一致するというものではなく、１方向操作方式の装置と、往復方向操作方式という方式の相違により内容にも相違があらわれる。また、各々の部分１ないし部分３は各１箇所とは限らず、複数箇所の場合もあり得る。本発明はそれらを包含するものである。
【発明の効果】
【００１４】
本発明は以上のように構成されかつ作用するものであるから、給弾機構において、コッキング部材の操作によってバレルに装填する装弾数を切替えることが可能になり、発射可能な弾数を多くも少なくも選択することができるという効果を奏する。また、本発明によれば、装填する弾丸の装弾数切替え操作を、１方向操作方式又は往復操作方式の何れの方式のコッキング部材によっても行えるようにした、給弾機構における装弾数切替え装置を提供することができるので、実施に当たり自由度が大きいという効果がある。
【発明を実施するための最良の形態】
【００１５】
以下図示の実施形態を参照して本発明をより詳細に説明する。図１は本発明に係る給弾機構における装弾数切替え装置の一例を示すものであり、内部機構を示す全体的な断面図と共に、切替え機構を特に示すために要部の外観図を併記している。１１は銃本体、１２は圧縮ガスのガス源、１３はガス流路であり、圧縮ガスを先端ノズル部から噴射するノズルアセンブリー１４を経て、弾丸Ｂを装填する装弾部１５ａを有するバレル１５へ噴射する構成を有している。
【００１６】
ここで、圧縮ガスの噴射のための構成について簡単に説明しておく。ガス源１２は、その内方に突出した気化ガス抽出筒１２ａによりガス流路１３に通じている。ガス流路１３は、弁体１６で開閉される気室１７をその途中に有しており、さらに、下流にバレル１５の装弾部１５ａの側に近接して、流量調整部１４ｂを有する上記ノズルアセンブリー１４が配置されている。なお、気室１７を有している部分１１ａは、ガス銃本体１１の側に設けられており、また、ノズルアセンブリー１４を原位置復帰のために前進させる付勢手段である複数個のバネ１１ｂを配置する部分にもなっている。
【００１７】
上記の弁体１６は前端が開放し、後端が閉塞された筒状の部材であり、前端部１６ａは本体内のガス流路に入り込み、後端部１６ｂは銃本体１１の一部から後方へ付き出した状態で、前後方向へ移動可能に装着されている。また、弁体１６の中間部後側寄りの外周には突部１６ｃが設けられており、突部１６ｃは気室後部の受座１６ｄに接触することによって気室１７を気密に封止した状態とするもので、その方向へバネ１６ｅによって付勢されている。突部１６ｃよりも後方に位置する筒状部分には、内外を通じるガス通口１６ｆが設けられ、弁体１６が前方移動したときに、ガスの流れをガス通口１６ｆを通って弁体内部に流入させる構成である。なお、弁体１６の前端部１６ａ、後端部１６ｂを移動可能に設けた本体側口部との間には気密に封止する機構が設けられている。
【００１８】
図示の例は、３個のバレル１５を束ねた３銃身型のものであり、それに合わせて、ノズルアセンブリー１４も、３箇所の装弾部１５ａと、それぞれの装弾部１５ａの上流に接続した３個の摺動部１４ａと、それら全てに通じる１箇所の上記調整部１４ｂと、各摺動部１４ａにそれぞれ組み込まれた制御弁１４ｃと、制御弁１４ｃをガス流の上流方向へ加圧するバネ１４ｄを有している。ノズルアセンブリー１４は、また、３箇所の先端ノズル部１４ｅを有しており、これらの先端ノズル部１４ｅは前進、後退によって３箇所の各装弾部１５ａに出入可能に設けられ、後退時に弾丸Ｂを供給するため空所２２を設けるように構成されている。制御弁１４ｃは、弾丸発射操作に伴って生じる圧縮ガス流の圧力差により閉弁方向へ押されるが、常にガス流通を維持する小開口を有しており、発射操作に伴う弾丸Ｂの移動開始後原位置に復帰する構成となっている。
【００１９】
ガス銃本体１１の発射機構に関する構成としては、発射操作のためのトリガー１８が、軸１８ａによって回転可能に設けられ、その操作によって、シア１９とストライカー２０を介して、上記弁体１６が開弁するように構成されている。シア１９は軸１９ａによって回転可能に設けられ、かつ、トリガー１８の係合部１８ｂと係合する係合相手部１９ｂを有している。また、ストライカー２０は、ガス銃本体１１に設けたガイド軸２１に前後方向へ移動可能に取り付けられ、かつ、バネ２１ａによって前方へ付勢されており、その前部２０ａにて弁体１６の後端部１６ｂを加圧可能に構成されている。トリガー１８とシア１９が係合している間は、シア１９もその一部１９ｃにてストライカー２０の一部２０ｃと係合しており、ストライカー２０は待機位置に置かれる。図示していないが、トリガー１８及びシア１９には戻しバネが設けられている。
【００２０】
上記の構成を備えた給弾機構２３においては、ノズルアセンブリー１４の後退によって先端ノズル部１４ｅと上記装弾部１５ａとの間の空所２２に弾丸Ｂを供給するものであり（図４参照）、さらに、装弾部１５ａへの給弾構成の一例を示すと以下のとおりである。即ち、弾丸Ｂは、カートリッジ２４の給弾路２４ａから、図２及び３に示されるように銃本体側に設けられた、装弾部前室２５に向けて押圧状態で供給され、その内部に弾丸規定部材２６が付勢手段２７によって弾丸通路方向へ付勢された状態で配置されている。給弾路２４ａに進入しようとする弾丸Ｂは、給弾路２４ａへ出入り可能に設けられた揺動部材２８に当たって停止状態に置かれ、その後、揺動部材２８が給弾路２４ａから脱すると弾丸Ｂが給弾路２４ａに進入し、揺動部材２８の先端２８ａに押されかつ弾丸規定部材２６に押さえられるとともに、その弾丸接触部２９の形状により装弾部１５ａに続く上記の装弾部前室２５に誘導される（図３）。この給弾構成については、本出願人の所有に係る特許第３０４５９８４号の複数銃身用装弾装置の発明が適用される。なお、弾丸Ｂは上記給弾後に先端ノズル部１４ｅに押され、装弾部１５ａに移動することで装填の完了となる。
【００２１】
このような構成を有する給弾機構２３に、装弾数切替え装置が設けられる。本発明の装弾数切替え装置は、前述したように、コッキング部材３１の１方向操作又は往復方向操作の２方式が可能である。これらの各方式の内、以下に図１及び図４ないし図１１に示した１方向操作方式に係る例１の装弾数切替え装置３０について説明する。まず、コッキング部材３１は前後に長く形成され、ノズルアセンブリー１４の前進後退方向へ移動可能に銃本体１１に取り付けられている（図１）。例１の装弾数切替え装置３０における係合手段として、１方向操作によって装弾数切替えを行うために、コッキング部材３１の中ほどに位置する係合部３２と、ノズルアセンブリー１４の前部に位置している係合部３１ｂの２箇所を有している。上記２箇所の係合部３２、３１ｂの内１箇所目の係合部３２は部分１（３５−１）と係合し、２箇所目の係合部３３は第２の部分１である溝部前端３１ｂと係合可能であり、夫々の係合時にノズルアセンブリー１４を後退させる構成を有する。１箇所目の係合部３２は、コッキング部材３１の上面に突出し、２箇所目の係合部３３は、ノズルアセンブリー１４の側方に突出し、コッキング部材３１の上面よりも低位の溝部３１ａを移動して溝部前端３１ｂに当接可能である。なお、作用部材３４は、部分１（３５−１）のある前部にてコッキング部材３１に、一定の荷重で接するように設けられている。
【００２２】
上記ノズルアセンブリー１４には、それを原位置復帰のために前進させる付勢手段として複数個のバネ１１ｂが配置されており、その付勢力に抗して、当該ノズルアセンブリー１４を後退させるために、コッキング部材３１と作用部材３４との間、そしてまたコッキング部材３１とノズルアセンブリー１４との間に、夫々係合手段３８が設けられている。作用部材３４は、１箇所目の係合部３２とともに係合手段３８を構成する係合相手として部分１（３５−１）を有し、また、１箇所目の係合部３２との係合を解除するために、ノズルアセンブリーの後方に配置された解除部３６と接触する部分２（３５−２）を有し、また、１箇所目の係合部３２との係合を強制的に解除する装弾数切替え部材３７の操作によって接触し、１箇所目の係合部３２との係合を解除する部分３（３５−３）を有して構成されている。
【００２３】
上記例１の装弾数切替え装置３０において、付勢手段のバネ１１ｂは、後端部にてガス銃本体１１の気室１７を有する部分１１ａに支持され、前端部にてノズルアセンブリー１４を押圧している。作用部材３４は、上記ノズルアセンブリー１４の側面に軸３４ａによって回転可能に軸支され、部分１（３５−１）が、前後に長く形成されているコッキング部材３１の上面を摺動可能に設けられている。解除部３６は、気室１７を有する部分１１ａの側面に、前下方に向けて設けられた斜面から成り、部分２（３５−２）の後退時にそれと接触可能である。さらに、弾数切替え部材３７は、バレル１５の後端部にあって、それと一体的に設けられ、後下方に向けた斜面にて部分３（３５−３）に当接可能に設けられている。
【００２４】
例１の装弾数切替え装置３０の作用について説明する。まず、図１では弾丸Ｂがカートリッジ２４の内部のバネによって加圧され、その状態から給弾路２４ａを上昇して装弾部１５ａに向かい、そこに入り込んでいる先端ノズル部１４ｅに突き当たっている。この状態において、図４に示すようにコッキング部材３１を後方へ移動させると、それによって作用部材３４の部分１（３５−１）が１箇所目の係合部３２と係合し、作用部材３４に後方への移動力が伝わり、その結果、ノズルアセンブリー１４が後退した状態となる。ノズルアセンブリー１４の後退によって、先端ノズル部１４ｅと上記装弾部１５ａとの間に空所２２（装弾部前室２５）が形成される。かくして、給弾機構２３を経て給弾路２４ａから弾丸Ｂが空所２２に供給される。最初の３発の弾丸Ｂの供給の後、コッキング部材３１を後方へ移動させることで、作用部材３４が図５において反時計方向へ回転し、それによって、部分１（３５−１）が１箇所目の係合部３２との係合から外れるので、ノズルアセンブリー１４が付勢手段のバネ１１ｂによって前方へ押され（図５中段）、弾丸Ｂが装弾部１５ａに装填されるとともに、装弾部１５ａとの間の空所２２が閉じる。この段階で、３個のバレル１５の装弾部１５ａに各１発ずつ計３発の弾丸Ｂが装填されたことになり、ここで、弾丸Ｂの供給は一旦断たれることになる。
【００２５】
コッキング部材３１をさらに後方へ移動させると、作用部材３４は一旦時計方向へ回転し、それに伴い、部分１（３５−１）はコッキング部材３１の上面付近を移動し、ノズルアセンブリー１４の前部に設けられている２箇所目の係合部３３が溝部３１ａを移動してその前端係合部３１ｂに当接し、ノズルアセンブリー１４に後方への移動力が伝えられる（図６上段）。その結果ノズルアセンブリー１４が後退し、再び先端ノズル部１４ｅと上記装弾部１５ａとの間の空所２２（装弾部前室２５）に、給弾機構２３を経て給弾路２４ａから、図外のバネによって加圧された弾丸Ｂが供給される（図６中段並びに下段）。その後、コッキング部材３１を前方へ移動させると、ノズルアセンブリー１４は図６中段の状態から付勢手段のバネ１１ｂによって前方へ押され（図７上段）、装弾部１５ａとの間の空所２２が閉じる。この結果、３個のバレル１５の各装弾部１５ａに各２発ずつ計６発の弾丸Ｂが装填されたことになる（図７下段）。
【００２６】
次に、例１の装弾数切替え装置３０において、３発のみ装填する場合の作用について説明する。３発のみ装填の場合には、図８に示すようにバレル１５の後端部にある装弾数切替え部材３７を操作し、後下方に向けた斜面に当接する部分３（３５−３）を押し下げるようにする。これは、作用部材３４を予め反時計方向へ回転させておき、コッキング部材３１を後退させる１回目の操作をしても、部分１（３５−１）が１箇所目の係合部３２と係合しないキャンセル状態にするものである（図９）。コッキング部材３１をさらに後方へ移動させると、上記部分１（３５−１）は１箇所目の係合部３２と係合しない状態にあり、ノズルアセンブリー１４の前部に設けられている２箇所目の係合部３３が、コッキング部材３１の溝部３１ａを移動してその前端３１ｂに当接するので、ノズルアセンブリー１４に後方への移動力が伝えられる（図１０上段）。その結果、ノズルアセンブリー１４が後退し、先端ノズル部１４ｅと上記装弾部１５ａとの間の空所２２（装弾部前室２５）に、給弾機構２３を経て給弾路２４ａから、図外のバネによって加圧された弾丸Ｂが供給される（図１０下段）。その後、コッキング部材３１を前方へ移動させると、ノズルアセンブリー１４が付勢手段のバネ１１ｂによって前方へ押され（図１１上段）、装弾部１５ａとの間の空所２２が閉じる。これにより、３個のバレル１５の装弾部１５ａには３発のみ弾丸Ｂが装填されたことになる（図１１下段）。
【００２７】
さらに、往復方向操作方式に係る例２の装弾数切替え装置４０について図１２以下を参照して説明する。例２の装弾数切替え装置４０において、コッキング部材４１は前後に長く形成され、ノズルアセンブリー１４の前進後退方向へ移動可能に銃本体１１に取り付けられている（図１２）。例２の装弾数切替え装置４０において、コッキング部材４１は、移動方向の中間に設けた１箇所の係合部４２を有し、コッキング部材４１の往復移動によって、この１箇所の係合部４２を、ノズルアセンブリー１４を２度後退させるように構成する。なお、ノズルアセンブリー１４に、それを原位置復帰のために前進させる付勢手段として複数個のバネ１１ｂが配置されていること及び給弾機構２３等の構成についても、例１と同様である。
【００２８】
作用部材４３はノズルアセンブリー１４及びコッキング部材４１に対して前後方向へ移動可能に、かつ、それ自体が回転可能に銃本体１１の側に取り付けられている。さらに、上記１箇所の係合部４２と係合して回転を生じさせる部分１（４５−１）を有し、また、上記回転によってノズルアセンブリー側のラック４４と噛み合い移動を生じさせる歯４７から成る部分２（４５−２）を有し、また、コッキング部材４１の後退に伴って、コッキング部材４１と作用部材４３に設けた上記部分１（４５−１）との係合によりノズルアセンブリー１４が後退し、さらに、付勢手段のバネ１１ｂにより前進した状態から、ノズルアセンブリー１４を後退位置へ戻して、コッキング部材４１の前進に伴うノズルアセンブリー１４の後退を行わせるか否かを選択する部分３（４５−３）を有している。
【００２９】
例２の装弾数切替え装置４０において、上記係合部４２はコッキング部材４１の上面のほぼ中央部に突出し、前後に斜面４２ａ、４２ｂを有する台形状に形成されている。作用部材４３は扇型の形状を有し、その要に当たる部分４３ａにて可動部材４６に回転可能に軸支され、扇型の円弧の前端部に部分１（４５−１）が、また、後半部分に歯４７が設けられている。上記可動部材４６は、銃本体側に前後方向へ移動可能に設けられ、かつ、バネ４６ａによって後方へ付勢され、ストッパー４６ｂにて停止している（図１２Ｂ）。係合手段５０は、銃本体側に軸４８ａによって軸支した装弾数切替え部材４８の係合爪４８ｂと、係合爪４８ｂと係合可能に上記可動部材４６の後端部に設けられた、鉤型の係合相手４９とから成っている。  
【００３０】
例２の装弾数切替え装置４０の作用について説明する。図１２では、図１と同様に弾丸Ｂがカートリッジ２４の内部のバネによって加圧され、その状態から給弾路２４ａを上昇して装弾部１５ａに向かい、そこに入り込んでいる先端ノズル部１４ｅに突き当たっているものとする。この状態において、コッキング部材４１を後方へ移動させると、その係合部４２の斜面４２ａに部分１（４５−１）が係合して押し上げられることにより、作用部材４３が図中反時計方向に回転し（図１３Ａ）、部分２（４５−２）において歯４７がラック４４と噛み合い、ノズルアセンブリー１４をバネ１１ｂに抗して後退させる。その結果、先端ノズル部１４ｅと上記装弾部１５ａとの間の空所２２（装弾部前室２５）が形成されるので、給弾機構２３を経て給弾路２４ａから弾丸Ｂが空所２２に供給される。さらにコッキング部材４１を後方へ移動させると作用部材４３が図中時計方向に回転し（図１３Ｂ）、部分１（４５−１）が係合部４２の斜面４２ｂに係合し、ノズルアセンブリー１４がバネ１１ｂの付勢下に前進し弾丸Ｂが装弾部１５ａに装填されるとともに、装弾部１５ａとの間の空所２２が閉じる。この段階で、３個のバレル１５の装弾部１５ａに各１発ずつ計３発の弾丸Ｂが装填される。
【００３１】
次に、コッキング部材４１を最も後退した位置から前方へ移動させる操作を行うと、今度は往路とは逆に、係合部４２の斜面４２ｂに部分１（４５−１）が係合して押し上げられ、作用部材４３が図中反時計方向に回転し（図１３Ｃ）、その歯４７がラック４４と噛み合い、ノズルアセンブリー１４をバネ１１ｂに抗して後退させる。よって、先端ノズル部１４ｅと上記装弾部１５ａとの間の空所２２（装弾部前室２５）が形成され、給弾機構２３を経て給弾路２４ａから弾丸Ｂが空所２２に供給される。さらにコッキング部材４１を前方へ移動させると作用部材４３が図中時計方向に回転し（図１３Ｄ）、部分１（４５−１）が係合部４２の斜面４２ｂに係合し、ノズルアセンブリー１４がバネ１１ｂの付勢下に前進し弾丸Ｂが装弾部１５ａに装填されるとともに、装弾部１５ａとの間の空所２２が閉じる。これによって、３個のバレル１５の装弾部１５ａに各２発ずつ計６発の弾丸Ｂが装填されたことになる。
【００３２】
例２の装弾数切替え装置４０において、３発のみ装填する場合には、図１４に示すように、係合手段５０を操作して装弾数切替え部材４８の係合爪４８ｂと鉤型の係合相手４９との係合を外しておく（図１４Ａ）。この状態では、作用部材４３はバネ４６ａによって後方へ付勢され、ストッパー４６ｂにて停止しているだけである（図１２Ｂ）。しかし、コッキング部材４１を後方へ移動させると、その係合部４２の斜面４２ａに部分１（４５−１）が係合して押し上げられ、作用部材４３が図中反時計方向に回転し（図１４Ａ）、部分２（４５−２）において歯４７がラック４４と噛み合い、ノズルアセンブリー１４をバネ１１ｂに抗して後退させる。その結果、先端ノズル部１４ｅと上記装弾部１５ａとの間の空所２２（装弾部前室２５）が形成されるので、給弾機構２３を経て給弾路２４ａから弾丸Ｂが空所２２に供給される。さらにコッキング部材４１を後方へ移動させると作用部材４３が図中時計方向に回転し（図１４Ｂ）、部分１（４５−１）が係合部４２の斜面４２ｂに係合し、ノズルアセンブリー１４がバネ１１ｂの付勢下に前進し弾丸Ｂが装弾部１５ａに装填されるとともに、装弾部１５ａとの間の空所２２が閉じ、従って、３個のバレル１５の装弾部１５ａに各１発ずつ計３発の弾丸Ｂが装填される。
【００３３】
続けて、コッキング部材４１を最も後退した位置から前方へ移動させる操作を行うと、今度は往路とは逆に、係合部４２の斜面４２ｂに部分１（４５−１）に接触するが、同部分１（４５−１）は斜面４２ｂに押し上げられるものの、ノズルアセンブリー１４に作用しているバネ１１ｂの付勢力に抗することができず（図１４Ｃ）、ほとんど後退しないため先端ノズル部１４ｅと上記装弾部１５ａとの間に空所２２が形成されない。さらにコッキング部材４１を前方へ移動させると、作用部材４３は元の位置に戻るが、結局往復移動の後半では給弾がされないため、３発の弾丸Ｂが装填されるに留まるものである。
【００３４】
このように本発明の装置は構成されているので、装弾数の切替えを容易かつ確実に行うことができる。例１及び例２において６発の装弾を終えた後、コッキング部材４１を後退させた場合には、さらに３発の弾丸Ｂが装填され、前進により６発が装填されるから、バレル数の倍数分だけ装填する弾丸数を増加させることも可能である。また、上記の各例は３個のバレル１５を束ねた３銃身型のものであるが、これを４銃身以上の型の或いは単銃身型銃に適用することも容易になし得る。上述したとおり、本発明はガス銃を対象としたものであるが、使用されるガスは圧縮された気体であり、従って、本発明は、圧縮空気を圧力源として構成された銃についても適用可能である。また、ガス源の構造についても、図１に示したのはガス銃本体１１に作り付け式に設けたものであり、図１２に示したのはガス銃本体４１に着脱式に設けたものであるが、上記のとおり本発明はそのどちらのタイプにも適用することができる。
【図面の簡単な説明】
【００３５】
【図１】本発明に係る給弾機構における装弾数切替え装置の例１を示すもので、左側面の説明図と併記した右側面要部の外観図である。
【図２】同上の装置の給弾機構の一例を示す後方断面説明図である。
【図３】同じく前方断面説明図である。
【図４】例１の装置の作用に関するもので、６発装填における１回目のコッキング操作を示す図１と同様の説明図である。
【図５】同じく１回目のコッキング部材の操作による弾丸供給を示す説明図である。
【図６】同じく２回目のコッキング部材の操作を示す説明図である。
【図７】同じく２回目のコッキング部材の操作による弾丸供給を示す説明図である。
【図８】同様に、３発装填における１回目のコッキング部材の操作を示す図１と同様の説明図である。
【図９】同じく１回目のコッキング部材の操作によるキャンセル状態を示す説明図である。
【図１０】同じく２回目のコッキング部材の操作を示す説明図である。
【図１１】同じく２回目のコッキング部材の操作による弾丸供給を示す説明図である。
【図１２】本発明に係る給弾機構における装弾数切替え装置の例２を示すもので、Ａは装弾数切替え部材が６発装填時の右側面図、Ｂは装弾数切替え部材が３発装填時の左側面図である。
【図１３】例２の装置の作用に関するもので、Ａはコッキング部材の後退操作による３発給弾、Ｂは同じく３発装填、Ｃは前進操作による２回目の３発給弾、Ｄは６発装填完了を示す説明図である。
【図１４】同様に、３発装填に関するもので、Ａはコッキング部材の後退操作による３発給弾、Ｂは同じく３発装填、Ｃ及びＤはキャンセル状態を示す説明図である。
【符号の説明】
【００３６】
１１  銃本体
１２  ガス源
１３  ガス流路
１４  ノズルアセンブリー
１５  バレル
１６  弁体
１７  気室
１８  トリガー
１９  シア
２０  ストライカー
２１  ガイド軸
２２  空所
２３  給弾機構
２４  カートリッジ
２５  装弾部前室
２６  弾丸規定部材
２７  付勢手段
２８  揺動部材
２９  弾丸接触部
３０、４０  装弾数切替え装置
３１、４１  コッキング部材
３１ａ  コッキング部材の溝部、３１ｂ  溝部前端の係合部
３２、３３  係合部材
３４、４３  作用部材
３５−１、４５−１  部分１、３５−２、４５―２  部分２、３５−３、４５―３、  部分３、３５−４、４５−４  部分４
３６  解除部
３７、４８  装弾数切替え部材
３８、５０  係合手段
４４  ラック
４６  可動部材
４７  歯
４９  係合相手
【図１】
0005567537.tif 000002
【図２】
0005567537.tif 000003
【図３】
0005567537.tif 000004
【図４】
0005567537.tif 000005
【図５】
0005567537.tif 000006
【図６】
0005567537.tif 000007
【図７】
0005567537.tif 000008
【図８】
0005567537.tif 000009
【図９】
0005567537.tif 000010
【図１０】
0005567537.tif 000011
【図１１】
0005567537.tif 000012
【図１２】
0005567537.tif 000013
【図１３】
0005567537.tif 000014
【図１４】
0005567537.tif 000015